(57)【要約】【課題】  従来技術ではさまざまな音（エラー（警告）音、ＦＡＸ通信音、音声応答音、ジョブ終了音など）に対して、音量調整を容易に行うことが出来なかったため不便であった。【解決手段】  現在鳴らしている音があるか否かを判断して、鳴っている音がある場合は、音量設定テーブルを参照して音量変更手段により音量設定値で音を鳴らす。鳴っている音がない場合は、何も処理しない。さらに、音量調整ダイヤル操作入力制御手段から実施の処理である場合、音量設定値を保存するか否かをユーザに選択させる。ユーザ選択が保存するの場合は、音量登録制御手段で音量を保存する。保存しないと判断した場合は、何も処理しないことを特徴とする画像処理装置を提供する。【選択図】  図５
2010068197.tif 000002
【特許請求の範囲】
【請求項１】
操作部（２００）の利用者による操作を認識して処理をするキー入力制御手段（５０１）と、
音量調整ダイヤル（２０８）の利用者による操作を認識して処理する音量調整ダイヤル操作入力制御手段（５０２）と、
前記キー入力制御手段（５０１）或いはカレント音制御手段（５０４）で設定された音量を、音量設定テーブル（４００）に保持する手段と、
音量設定値で音を鳴らす音量変更手段（５０５）とを有し、
現在鳴らしている音があるか否かを判断して、鳴っている音がある場合は、音量設定テーブル（４００）を参照して音量変更手段（５０５）により音量設定値で音を鳴らし、鳴っている音がない場合は、何も処理しないで、さらに、音量調整ダイヤル操作入力制御手段（５０２）から実施の処理である場合、音量設定値を保存するか否かをユーザに選択させると共に、ユーザ選択が保存するの場合は、音量登録制御手段（５０３）で音量を保存し、保存しないと判断した場合は何も処理しないことを特徴とする画像処理装置。
【発明の詳細な説明】
【技術分野】
【０００１】
本発明は、画像処理装置における、音量を変更するための音量制御処理に関する。
【背景技術】
【０００２】
従来の画像処理装置には、回線閉結状態において受話器を介して通話できる電話機能を有するものがある。このような画像処理装置は、回線閉結状態であるか否かを判別する制御部を備える。この制御部は、所定のキーを、回線閉結状態の場合には、音量調節キーとして作動させ、回線非閉結状態の場合には、解像度変更及び着信モード変更の機能キーとして作動させる。
【特許文献１】特開２００６−１９１６８０号公報（図４）
【発明の開示】
【発明が解決しようとする課題】
【０００３】
しかしながら、従来技術では調整できる音量の種類が少なく、さまざまな音（エラー（警告）音、ＦＡＸ通信音、音声応答音、ジョブ終了音など）に対しては変更できなかったため、不便であった。一方、ソフト音量調整可能とした場合、設定画面に移行して変更しなければならないため即変更できないため不便であった。
【０００４】
そこで、本発明は、様々な音に対して、音量の設定が可能且つ容易に音量を即変更可能、さらに、その時、鳴っている音に対して、鳴っている時のみ変更することが可能な画像処理装置を提供することを目的とする。
【課題を解決するための手段】
【０００５】
上記問題を解決するため、本発明に係る画像処理装置は、操作部（２００）の利用者による操作を認識して処理をするキー入力制御手段（５０１）と、音量調整ダイヤル（２０８）の利用者による操作を認識して処理する音量調整ダイヤル操作入力制御手段（５０２）と、
前記キー入力制御手段（５０１）或いはカレント音制御手段（５０４）で設定された音量を、音量設定テーブル（４００）に保持する手段と、音量設定値で音を鳴らす音量変更手段（５０５）とを有し、
現在鳴らしている音があるか否かを判断して、鳴っている音がある場合は、音量設定テーブル（４００）を参照して音量変更手段（５０５）により音量設定値で音を鳴らす。鳴っている音がない場合は、何も処理しない。さらに、音量調整ダイヤル操作入力制御手段（５０２）から実施の処理である場合、音量設定値を保存するか否かをユーザに選択させる。ユーザ選択が保存するの場合は、音量登録制御手段（５０３）で音量を保存する。保存しないと判断した場合は、何も処理しないことを特徴とする。
【発明の効果】
【０００６】
様々な音に対して、音量の設定が可能且つ容易に音量を即変更可能、さらに、その時、鳴っている音に対して、鳴っている時のみ変更することが可能であり操作性向上になる。
【発明を実施するための最良の形態】
【０００７】
次に、本発明の詳細を実施例の記述に従って説明する。
【０００８】
以下、本発明を実施するための最良の形態について図面を用いて説明する。
【０００９】
図１は、本発明の実施形態にかかる画像処理装置の概略的な構成を示すブロック図である。スキャナインタフェース（以下、「スキャナＩ／Ｆ」という。）部１０には、アナログフロントエンド（ＡＦＥ）１５を介して、ＣＣＤ１７、ＣＩＳ１８が接続し、個別の専用回路を介在することなく、その読み取りデータを画像処理装置に取り込むことができる。スキャナＩ／Ｆ部１０のデータ処理については、後に詳細に説明する。
【００１０】
２０はスキャナ画像処理部であり、スキャナＩ／Ｆ部１０の処理によりメインメモリ１００に展開された画像データに対して、画像処理動作モード（カラーコピー、モノクロコピー、カラースキャン、モノクロスキャン等）に応じた画像処理を実行する処理部である。スキャナ画像処理部２０の詳細については、後に説明する。
【００１１】
バッファ調停部７７はスキャナＩ／Ｆ部１０とスキャナ画像処理部間のデータの受け渡しをメインメモリ１００上のリングバッファ領域を介して行う場合、データの書き込みと、読み出しを調停する。
【００１２】
プリンタ画像処理部３０は、入力する画像の領域編集や、解像度変換を行い、得られた画像データをプリンタ出力するための処理ユニットであり、４０は接続するレーザビームプリンタ（ＬＢＰ）４５に画像処理結果を出力するためのＬＢＰインタフェース（Ｉ／Ｆ）。
【００１３】
バッファ調停部７８はプリンタ画像処理部３０とＬＢＰインタフェース４０間のデータの受け渡しをメインメモリ１００上のリングバッファ領域を介して行う場合、データの書き込みと、読み出しを調停する。バッファ調停部７７，７８は基本構成は同一のブロックであるが、使用する用途により、制御方法が異なる。詳細については後述する。
【００１４】
５０、６０はＪＰＥＧ、ＪＢＩＧモジュールであり、所定の規格に準拠した画像データの圧縮、伸張処理を実行する処理部である。
【００１５】
７０はメモリ制御部であり、画像処理系の第１ＢＵＳ８３，第２ＢＵＳ８４及びコンピュータ系の第３ＢＵＳ８５とそれぞれ接続し、メインメモリ（ＳＤＲＡＭ）１００に対するデータの書き込み、読み出しのためのデータ転送制御を行う。
【００１６】
９０はＤＭＡコントローラ（ＤＭＡＣ）であり、メモリ制御部７０と協働して、ＲＯＭＩＳＡ９７を介してＲＯＭ９５と接続し、外部デバイスや種々のインタフェース部（１７０）、とメインメモリ１００との間のデータ授受に関し、ＤＭＡ制御するための所定のアドレス情報を生成、設定する。
【００１７】
９１はＤＭＡコントローラ（ＤＭＡＣ）であり、メモリ制御部７０と協働して、各画像処理部（１０、２０、３０、４０）とメインメモリ１００との間のデータ授受に関し、ＤＭＡ制御するための所定のアドレス情報を生成、設定する。
【００１８】
例えば、画像読み取りデバイスの種類、ＣＣＤ１７、ＣＩＳ１８の別に応じて、スキャナＩ／Ｆ部１０で読み取り処理された画像データをメインメモリ１００にＤＭＡ転送するためのアドレス情報をＤＭＡのチャンネルごとに生成し、または、メインメモリ１００上に展開された画像データを読み出すためのアドレス情報をＤＭＡのチャンネルに応じて生成し、スキャナ画像処理部２０にＤＭＡ転送する等、メインメモリ１００と、画像処理部（１０，２０、３０、４０）とメインメモリ１００間におけるＤＭＡ制御を、メモリ制御手段７０と共に司るユニットとして機能する。
【００１９】
ＲＯＭ９５には画像読み取りデバイス（ＣＣＤ１７やＣＩＳ１８）に応じて、適した制御パラメータ、制御プログラムデータが格納されており、制御パラメータ等を画像読み取りデバイスに応じて種々設定することができるので、ＣＣＤ１７、ＣＩＳ１８の個別のデータ出力形式に応じた画像データの入力処理が可能となるため、専用のインタフェース回路を設ける必要がなくなる。
【００２０】
８３は、メインメモリ１００から読み出したデータを画像処理系の各処理部（１０〜６０）に送出することが可能な第１ＢＵＳであり、８４は、画像処理系の各処理部（１０〜６０）から読み出したデータをメインメモリ１００に送出することが可能な第２ＢＵＳであり、第１ＢＵＳ，第２ＢＵＳは対になって画像処理ブロックとメインメモリ１００間の画像データの授受を行う。
【００２１】
８５は、ＣＰＵ１８０、通信及びユーザインタフェース制御部１７０、メカトロ系制御部１２５、画像処理部内部の制御レジスタ、及びＤＭＡＣ９０が接続するコンピュータ系の第３ＢＵＳである。
【００２２】
メカトロ系制御部１２５にはモータ制御部１１０と、モータの駆動タイミングや、画像処理系の処理の同調を制御するためのタイミング制御を司る割り込みタイマー制御部１２０が含まれる。
【００２３】
ＬＣＤ制御部１３０は、画像処理装置の種々の設定、処理状況等をＬＣＤ１３５に表示するための表示制御を司るユニットである。
【００２４】
１４０、１５０は周辺機器との接続を可能にするＵＳＢインタフェース部であり、図１では、ＢＪ−プリンタ１７５が接続した状態を示している。
【００２５】
１６０はメディアアクセス制御（ＭＡＣ）部であり、接続する機器に対してデータをどのようなタイミングで送り出せばよいか（アクセス）等を制御するユニットである。
【００２６】
１８０はＣＰＵであり、画像処理装置の全体的な動作を制御する。
【００２７】
１９０はブザー制御部、１９５はブザー制御部１９０からの音とＭＯＤＥＭ９３からの音を切り替える音切り替えスイッチ、１９６はスピーカドライバ、１９７はスピーカである。
【００２８】
＜スキャナＩ／Ｆ部１０の構成＞
スキャナＩ／Ｆ部１０は、画像読み取りデバイスとして、ＣＣＤ１７及びＣＩＳ１８に対応可能であり、両画像読み取りデバイスの信号を入力処理する。ここで入力された画像データは、メモリ制御部７０によりＤＭＡ転送されてメインメモリ１００上に展開される。
【００２９】
＜スキャナ画像処理部２０の構成＞
スキャナ画像処理部２０はメインメモリ１００上にある画像を画像変換し、再度、メインメモリ１００に下記戻すときに使われる各種画像変換機能を有する。
【００３０】
画像の解像度を変換（たとえば６００ｄｐｉから２００ｄｐｉ）したり、変倍したりする変倍機能（たとえば２５％から４００％まで）を有する。変倍する前には３２×３２画素の画像を３２ライン単位の画像に並び替える。
【００３１】
多値入力された画像をマトリクス演算、およびＬＵＴにより、たとえばメモリ上にあるＹＵＶ画像をＬａｂ画像に変換し、メモリ上に格納する色空間変換機能を有する。
【００３２】
また、この色空間変換機能は３ｘ８のマトリクス演算および、１次元ＬＵＴをもち、公知の下地とばしや裏写り防止を行うことができる。変換された画像は多値で出力される。１ｂｉｔ２値画像を多値８ｂｉｔ、２５６階調にする２値多値変換機能。逆にメモリ上にある８ｂｉｔ、２５６階調の画像を誤差拡散処理などの手法により１ｂｉｔ、２階調に変換し、メモリ上に格納する２値多値変換機能を有する。
【００３３】
多値画像の画素を間引くことで、解像度変換を行う１／２，１／４，１／８の多値画像を出力可能な間引き機能を有する。
【００３４】
変倍機能と合わせて使うことで、より広範囲な拡大、縮小を行うことができる。移動２０２５は入力された２値画像、多値画像に余白部分をつけたり、余白部分を削除したりして出力することができる。
【００３５】
変倍機能、色空間変換機能、２値多値変換機能、間引き機能、多値２値変換機能はそれぞれ連結して動作することが可能である。
【００３６】
図２は、操作部２００の構成を示す図である。
【００３７】
ＬＣＤ表示部２０１は、ＬＣＤ上にタッチパネルシート２０２が貼られており、システムの操作画面およびソフトキーを表示するとともに、表示してあるキーが押されるとその位置情報をコントローラＣＰＵ１８０に伝える。
【００３８】
スタートキー２０３は原稿画像の読み取り動作を開始する時などに用いる。スタートキー２０３中央部には、緑と赤の２色ＬＥＤ２０４があり、その色によってスタートキー２０３が使える状態にあるかどうかを示す。
【００３９】
ストップキー２０５は稼働中の動作を止める働きをする。ＩＤキー２０６は、使用者のユーザＩＤを入力する時に用いる。
【００４０】
リセットキー２０７は操作部からの設定を初期化する時に用いる。
【００４１】
音量調整ダイヤル２０８は、鳴っている音を大きく／小さくする時に用いる。テンキー２０９は、数字を入力する時に用いる。
【００４２】
図３は、本実施例の画像処理装置における音量変更画面３００であり、ＣＰＵ１８０が表示する。
【００４３】
３０１は、変更できる音量の種類と現在設定されている音量値を表示する音量表示部、３０２は、前記音量表示の何れかを押下ときに表示される音量値設定ポップアップウインドウである。音量設定値を音量値設定ポップアップウインドウ３０２の中から選択入力し、設定された音量は音量表示部３０１に表示される。
【００４４】
図４は、本実施例の画像処理装置におけるメインメモリ１００に保持している音量値設定テーブル４００の模式図であり、ＣＰＵ１８０が変更する。
【００４５】
４０１は、音量の種類を表す。４０２は、設定されている音量値を表す。
【００４６】
図５は、本実施例の画像処理装置における音量調整に関わるソフト的な構成図、５００である。
【００４７】
５０１は、操作部２００の利用者による操作をＣＰＵ１８０が認識して様々な処理をするキー入力制御部であり、音量変更画面３００で変更された場合に、ＣＰＵ１８０は音量登録制御部を処理する。
【００４８】
５０２は、音量調整ダイヤル２０８の利用者による操作をＣＰＵ１８０が認識する音量調整ダイヤル操作入力制御部であり、操作を認識した場合に、ＣＰＵ１８０はカレント音制御部を処理する。
【００４９】
５０３は、音量登録制御部であり、キー入力制御部５０１或いはカレント音制御部５０４で設定された音量を、ＣＰＵ１８０が音量設定テーブル４００に保持する。キー入力制御部５０１から実施の処理である場合、カレント音制御部５０４の処理を行う。
【００５０】
５０４は、カレント音制御部であり、ＣＰＵ１８０が、現在鳴らしている音があるか否かを判断して、鳴っている音がある場合は、音量設定テーブル４００を参照して音量変更部５０５の処理を行う。鳴っている音がない場合は、何も処理しない。さらに、音量調整ダイヤル操作入力制御部５０２から実施の処理である場合、音量設定値を保存するか否かをユーザに選択させる。ユーザ選択が保存するとＣＰＵ１８０が判断した場合は、音量登録制御部５０３の処理を行う。保存しないと判断した場合は、何も処理しない。
【００５１】
５０５は、音量変更部であり、カレント音制御部５０４からの音量設定値で、ＭＯＤＥＭ９３或いはブザー制御部１９０を制御して、音切り替えスイッチ１９５で切り替えを行い、スピーカドライバ１９６を介してスピーカ１９７から音を鳴らす処理を行う。
【００５２】
図６は、音量変更画面３００で、音量を変更する場合のフローチャートである。本フローチャートは画像処理装置のＣＰＵ１８０が実行する。
【００５３】
Ｓ６０１にて、利用者により、音量表示部３０１から変更したい音量の種類が選択されたと認識した場合、Ｓ６０２の処理を行う。
【００５４】
Ｓ６０２にて、音量値設定ポップアップウインドウ３０２を表示して、Ｓ６０３の処理を行う。
【００５５】
Ｓ６０３にて、音量値設定ポップアップウインドウ３０２で、音量選択が完了したかどうか判断して音量が選択されたと判断した場合は、Ｓ６０４の処理を行う。音量選択が完了していないと判断した場合は、Ｓ６０３の処理を行う。
【００５６】
Ｓ６０４にて、音量登録制御部５０３で設定された音量を、音量設定テーブル４００に保持してＳ６０５の処理を行う。
【００５７】
Ｓ６０５にて、カレント音制御部５０４で、現在鳴らしている音があるか否かを判断して、鳴っている音がある場合は、音量設定テーブル４００を参照して音量変更部５０５の処理を行う。鳴っている音がない場合は、何も処理しない。その後、音量変更部５０５はで、カレント音制御部５０４からの音量設定値で音を鳴らす処理を行い、処理を終了する。
【００５８】
図７は、音量調整ダイヤル２０８を操作した場合のフローチャートである。本フローチャートは画像処理装置のＣＰＵ１８０が実行する。
【００５９】
Ｓ７０１にて、音量調整ダイヤル操作入力制御部５０２で、音量調整ダイヤル２０８の操作を認識した場合は、Ｓ７０２の処理を行う。認識しない場合は、Ｓ７０１の処理を行う。
【００６０】
Ｓ７０２にて、カレント音制御部５０４の処理として、ＣＰＵ１８０が、現在鳴らしている音があるか否かを判断する。鳴っている音がある場合は、Ｓ７０３の処理を行う。鳴っている音が無い場合は、本フローチャートの処理を終了する。
【００６１】
Ｓ７０３にて、カレント音制御部５０４の処理として、音量設定テーブル４００を参照して、現在鳴っている音の音量を取得しＳ７０４の処理を行う。
【００６２】
Ｓ７０４にて、音量調整ダイヤル操作入力制御部５０２の操作が音量増操作か否かをＣＰＵ１８０が判断する。音量増操作の場合は、Ｓ７０５の処理を行う。音量減操作の場合は、Ｓ７０８の処理を行う。
【００６３】
Ｓ７０５にて、音量変更部５０５の処理として、ＣＰＵ１８０は、現在の音量より１段階大きな音の設定値を認識してＳ７０６の処理を行う。
【００６４】
Ｓ７０６にて、カレント音制御部５０４の処理として、Ｓ７０５或いはＳ７０８で認識した音の設定値になるように音を鳴らす処理を行い、Ｓ７０７の処理を行う。
【００６５】
Ｓ７０７にて、ＣＰＵ１８０は、まだ音がなっているか否かを判断する。鳴っている場合は、Ｓ７０３の処理を行う。鳴っていない場合は、Ｓ７０９の処理を行う。
【００６６】
Ｓ７０８にて、カレント音制御部５０４の処理として、ＣＰＵ１８０は、現在の音量より１段階小さな音の設定値を認識してＳ７０６の処理を行う。
【００６７】
Ｓ７０９にて、カレント音制御部５０４の処理として、音量設定値を保存するか否かをユーザに選択させる。ユーザ選択が保存するとＣＰＵ１８０が判断した場合は、Ｓ７１０の処理を行う。保存しないと判断した場合、本フローチャートの処理を終了する。
【００６８】
Ｓ７１０にて、カレント音制御部５０４の処理として、Ｓ７０６で設定した音の設定値を、音量登録制御部５０３で音量設定テーブル４００に保持し、本フローチャートの処理を終了する。
【図面の簡単な説明】
【００６９】
【図１】画像処理装置の概略的な構成を示すブロック図
【図２】画像処理装置の操作部の構成を示す図
【図３】本発明の操作部の音量変更画面
【図４】本発明の音量値設定テーブの模式図
【図５】本発明の音量調整に関わるソフト的な構成図
【図６】音量変更画面で、音量を変更する場合のフロー図
【図７】量調整ダイヤルを操作した場合のフロー図
【図１】
2010068197.tif 000003
【図２】
2010068197.tif 000004
【図３】
2010068197.tif 000005
【図４】
2010068197.tif 000006
【図５】
2010068197.tif 000007
【図６】
2010068197.tif 000008
【図７】
2010068197.tif 000009